(57)【要約】      （修正有）【課題】建築、構築物の既存外壁面を新規外壁で改修する際に、新規の既存外壁を取り付けるためのアンカー金具を、既存外壁に直接固定することによって、既存外壁の損傷を最小とし、しかも、新規外壁の取付強度も充分な既存外壁の改修下地を提供する。【解決手段】既存外壁Ａの一部を除去して形成した開口部１を介して既存外壁Ａに固定されたアンカー金具１２を用いた改修下地構造において、リップ溝形鋼からなる主胴縁２１がアンカー金具１２の一面に直接あるいは受具１４を介して固定され、かつ、主胴縁２１と従胴縁２２とが連結具１３によって連結されていることを特徴とする既存外壁の改修下地構造。【選択図】        図１
2004244840.tif 000002
【特許請求の範囲】
【請求項１】
既存外壁の一部を除去して形成した開口部を介して既存外壁に固定されたアンカー金具を用いた改修下地構造において、リップ溝形鋼からなる主胴縁がアンカー金具の一面に直接あるいは受具を介して固定され、かつ、主胴縁と従胴縁とが連結具によって連結されていることを特徴とする既存外壁の改修下地構造。
【発明の詳細な説明】
【０００１】
【発明の属する技術分野】
本発明は建築、構築物の既存外壁面を改修するための下地構造に関するものである。さらに詳しくは、新規の外壁を取り付けるためのアンカー金具を既存外壁に直接固定する際に、既存外壁の損傷を最小とし、しかも、新規の外壁の取付強度も充分な既存外壁の改修下地構造に関するものである。
【０００２】
【従来の技術】
一般に、改修下地構造としては▲１▼既存外壁を全て撤去して新規外壁を取り付ける方法、▲２▼既存外壁を下地材として新規外壁を取り付ける方法、▲３▼既存外壁の一部を除去して既存下地から持出して新規下地を形成し新規外壁を取り付ける方法等がある。
【０００３】
【特許文献１】
特公昭６３−３４９３５号
【特許文献２】
特開平１１−６２１７１号
【０００４】
【発明が解決しようとする課題】
上記▲１▼の方法では既存外壁をすべて撤去した場合の撤去費用や撤去した廃材の処理、工事期間中の建物の使用を中止しなければならない等の欠点があり、上記▲２▼の方法では新規壁材を固定、保持するための強度不足、既存外壁の表面の凹凸による不陸等の欠点があり、結論として▲３▼の方法が一番有効だが、既存下地に起因した制約が多く、必ずしも万能とはいえないものであった。
【０００５】
【課題を解決するための手段】
既存外壁の一部を除去して形成した開口部を介して既存外壁に固定されたアンカー金具を用いた改修下地構造において、リップ溝形鋼からなる主胴縁がアンカー金具の一面に直接あるいは受具を介して固定され、かつ、主胴縁と従胴縁とが連結具によって連結された構造とすることにより既存外壁に起因した制約等を可能な限り除去できる既存外壁の改修下地構造を提案する。
【０００６】
【発明の実施の形態】
以下に、図面を用いて本発明に係る既存外壁の改修下地構造について説明する。
【０００７】
Ａは既存外壁であり、ＲＣ、ＡＬＣ、窯業系、金属系、カーテンウォールなどで、素材が脆弱であったり、あるいは経年変形によるひび割れや退色、強度低下しているものが主である。
【０００８】
Ｂは新規外壁で、図８に一点鎖線で示すように本発明の下地構造による胴縁上に張設される任意の外壁であり、例えば乾式外壁材や湿式外壁材等があるが、下地材に対する負荷、工期、コスト面等を考慮すると乾式外壁材がより好ましい。
【０００９】
１と２は開口部であり、既存外壁Ａの一部を除去し、既存外壁Ａにホールソー、電動ドリル等の孔開け機器を用いて形成され、その形状や大きさは後述するアンカー金具の一端が挿入できる程度であれば任意である。１は後記する主胴縁を固定するさいに利用する開口部、２は後記する従胴縁を固定するさいに利用する開口部である。
【００１０】
１２はアンカー金具であり、開口部を介して一面（表面板）を表面側に設け、他面（裏面板）を既存外壁Ａの裏面に配置し、これら表、裏面板によって既存外壁Ａを挟み込むように固定し、表面板に直接あるいは後記する受具１４を介して新規外壁Ｂを取り付けるための主胴縁を固定するものだが、主胴縁だけでなく従胴縁を固定することで  従胴縁の振れ、たわみ、ねじれ等を防止するのに有効であり、主胴縁だけをアンカー金具で固定したときの強度不足となる場合の対応、既存外壁Ａの既存下地等のピッチからくる制約の除外、および費用や工数の節約等をも考慮したものである。
【００１１】
例えば、図２に示すアンカー金具１２は裏面板１２ｂを開口部１に挿入し、図２（ｂ）の矢印で示したように裏面板１２ｂが既存外壁Ａの裏面に達した時点で下に落としこみ、表面板１２ａ側からネジ１６を挿入して既存外壁Ａの裏面板に設けたナット部１２ｃに螺合するものであり、既存外壁Ａのネジ１６を通す部分は予め窄孔しておくことが望ましい。さらに、開口部１を設ける際にホールソー等により円柱状に除去してあれば、アンカー金具１２を固定後にこの円柱状の除去物３を開口部１に埋め戻すことができる。また他の例としては、図５に示すような形状である。
【００１２】
また、図３に示すアンカー金具１２は既存外壁Ａの裏面（内側）にナット部１２ｃを固定するもので、具体的には、図（３ａ）に示すように裏面板１２ｂを折りたたんで開口部に挿入し、裏面板１２ｂが裏面に達した後に、ガイド部１２ｄを引っ張ってナット部裏面板１２ｂを既存外壁Ａの内側に、表面板１２ａを外側に固定し、外側からナット部１２ｃに向けてネジ１６を挿入し螺合したものである。他に、図示しないが、接着剤を用いたり、内部で機械的に広がるような構成のアンカー金具１２を使用することができる。
【００１３】
当然ではあるが、アンカー金具１２は一種だけでなく、複数の種類を組み合わせて使用することもできる。
【００１４】
２１と２２とは胴縁であるが、２１は主胴縁で、２２は主胴縁２１に連結される従胴縁である。主胴縁２１と従胴縁２２とを略格子状に形成した胴縁は、新規外壁Ｂを形成する際の下地となるものであり、さらに、必要に応じて主胴縁２１または従胴縁２２に新たに新規胴縁を固定して新規外壁Ｂを取付けることもある。主胴縁２１と従胴縁２２はリップ溝形鋼であり、コスト等を考慮したものである。
【００１５】
１３は連結具であり、主胴縁２１に従胴縁２２を連結する際に用いるもので、例としては、図４（ａ）や図６に示すような形状である。
【００１６】
１４は受具であり、主胴縁や従胴縁がその形状によりアンカー金具１２と直接に固定できない場合に用いられる。形状は主に図４（ｂ）や図７に示すような断面コ字状、Ｌ字状、Ｊ字状やリップ溝形鋼状であり、胴縁２１、２２の開口面とアンカー金具１２を固定するために使用する。
【００１７】
もちろん、アンカー金具１２、連結具１３、あるいは受具１４の固定部や連結部に各種長穴を予め穿設することで、主胴縁２１や従胴縁２２の固定や連結の調整が容易となる。また、図示しないが固定部や連結部には必要に応じてパッキング材を用いることができる。
【００１８】
以下に、実施例を示すが、これにより本発明がこれらの実施例に限定されるものではない。
【００１９】
（実施例１）
本発明に係る改修下地構造の実施例を図１に基づいて説明する。既存外壁Ａに設けた開口部１を介して図２に示すアンカー金具１２が既存外壁Ａに固定され、主胴縁２１がリップ溝形鋼の平面側でアンカー金具１２に直接固定され、複数のＬ型の連結具１３により主胴縁２１に従胴縁２２が直交して配設（既存外壁Ａに対しリップ溝形鋼の開口面側が面する状態で）されており、さらに、主胴縁を固定したアンカー金具１２間に設けた開口部２を介して、上記同様アンカー金具１２に固定された受具１４に従胴縁２２が固定された既存外壁の改修下地構造である。
なお、ゴムシート等の不陸調整用スペーサー２３を主胴縁２１及び／又は従胴縁２２と既存外壁Ａとの間に挟みこんだ構造とすることもできる。
【００２０】
（その他の実施例）
その他の実施例を図９（ａ）、（ｂ）によって説明する。（ａ）は実施例１において、主胴縁２１を固定するアンカー金具１２として、メカナット（登録商標）１２とネジ１６とからなるアンカー金具を用いたもの、（ｂ）は実施例１において従胴縁２２を固定するのに上記メカナット１２に固定された受具１４を介して固定された既存外壁の改修下地構造である。
【００２１】
【発明の効果】
以上説明したように本発明に係る既存外壁の改修下地構造によれば、▲１▼既存外壁を解体する必要がないので施工工数を低減できると共に、工期を大幅に短縮することができ、しかも施工中の居住や利用に何等支障を来さない。▲２▼既存外壁上に新規外壁を形成するので、施工が簡単でコストを低減できる。▲３▼既存外壁と新規外壁との２重壁構造となり、断熱性、防音性、防火性に富む構造となる。▲４▼アンカー金具の施工が容易で、スペーサーを介すれば、既存外壁の張り上がりの美観性が向上する。▲５▼胴縁としてリップ溝形鋼を使用することで材料コストや下地材への負担を軽減でき、受具を使用すればリップ溝形鋼の開口面側での固定も容易であり、主胴縁への従胴縁の連結も連結具を使用すれば容易となる。▲６▼主胴縁だけでなく従胴縁をアンカー金具を介して既存外壁に固定すれば、胴縁の座屈、撓み等（横振）が防止でき改修下地の強度が大幅に向上する。等の特徴、効果がある。
【図面の簡単な説明】
【図１】本発明に係る既存外壁の改修下地構造の代表例を示す説明図である。
【図２】本発明に係るアンカー金具の一例の施工順序を示す説明図である。
【図３】本発明に係るアンカー金具の一例の施工順序を示す説明図である。
【図４】本発明に係る既存外壁の改修下地構造に用いられる連結具及び受具を示す説明図である。
【図５】本発明に係るアンカー金具のその他の例を示す説明図である。
【図６】本発明に係る既存外壁の改修下地構造に用いられる連結具のその他の例を示す説明図である。
【図７】本発明に係る既存外壁の改修下地構造に用いられる受具のその他の例を示す説明図である。
【図８】本発明に係る既存外壁の改修下地構造の一例を示す説明図である。
【図９】本発明に係る既存外壁の改修下地構造のその他の実施例を示す説明図である。
【符号の説明】
Ａ．既存外壁
Ｂ．新規外壁
１．開口部
２．開口部
３．除去物
１２．アンカー金具
１２ａ．表面板
１２ｂ．裏面板
１２ｃ．ナット部
１２ｄ．ガイド部
１３．連結具
１４．受具
１５．気密性被覆材
１６．ネジ
２１．主胴縁
２２．従胴縁
２３．調整用スペーサー
【図１】
2004244840.tif 000003
【図２】
2004244840.tif 000004
【図３】
2004244840.tif 000005
【図４】
2004244840.tif 000006
【図５】
2004244840.tif 000007
【図６】
2004244840.tif 000008
【図７】
2004244840.tif 000009
【図８】
2004244840.tif 000010
【図９】
2004244840.tif 000011